(57)【特許請求の範囲】
【請求項１】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、ドット分散法により形成されているとともに、該ディザマトリックスの主走査方向におけるいずれか半分のマトリックスが、Ｐとは互いに素である整数ｎ行分、副走査方向または反副走査方向にずらされている
ことを特徴とする画像データ２値化装置。
【請求項２】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、ドット分散法により形成されているとともに、該ドット分散法に用いられる４つの閾値からなる基本配置パターンにおける主走査方向のいずれか半分の２つの閾値の配置が、Ｐとは互いに素である整数ｎ行分、副走査方向または反副走査方向にずらされている
ことを特徴とする画像データ２値化装置。
【請求項３】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、ドット分散法により形成されているとともに、前記ディザマトリックスの副走査方向のサイズをｍ（ｍは２以上の整数）とし、前記ドット分散法に用いられる閾値の基本配置パターンにおける副走査方向移動行数をｋ（ｋは、１≦ｋ≦ｍ−１を満足する整数）とすると、ｋとｍ／Ｐとは互いに素である
ことを特徴とする画像データ２値化装置。
【請求項４】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、閾値を大から小あるいは小から大へ順次配置するに当り、最初は奇数行また偶数行の連続出現数が４以下、それ以後は、奇数行また偶数行の連続出現数が８以下である
ことを特徴とする画像データ２値化装置。
【請求項５】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記Ｐ＝２であり、前記ディザマトリックスは、閾値を大から小あるいは小から大へ順次配置するに当り、奇数行と偶数行とが交互に現れるように配置される
ことを特徴とする画像データ２値化装置。
【請求項６】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、同一配色領域において、Ｐ走査毎に前記記録ヘッドの主走査にて記録されるカラー擬似中間調画像データを１組とするＰ組のカラー擬似中間調画像データが、相互に類似の配色に２値化されるように形成されている
ことを特徴とする画像データ２値化装置。
【請求項７】
前記ディザマトリックスの副走査方向のサイズをｍ（ｍは２以上の整数）とすると、ｍとＰとは互いに素である
ことを特徴とする請求項６記載の画像データ２値化装置。
【請求項８】
多値で表されたカラー中間調画像データを記憶する画像データ記憶手段と、
ディザマトリックスを記憶するディザマトリックス記憶手段と、
前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、
ノズル間隔がＰ（Ｐは２以上の整数）ライン相当の記録ヘッドを有するインターレース駆動方式のカラーインク塗布型プリンタに用いられる画像データ２値化装置であって、
前記ディザマトリックスは、該ディザマトリックスを構成する閾値が大から小あるいは小から大へ順次配置されるにあたり、Ｐとは互いに素である整数ｎ行分、副走査方向または反副走査方向に離れた状態となるように順次配置される
ことを特徴とする画像データ２値化装置。
【発明の詳細な説明】
【０００１】
【発明の属する技術分野】
本発明は、インターレース駆動方式のカラーインク塗布型プリンタでの記録に用いられるカラー擬似中間調画像データを、ディザ法にて多値で表されたカラー中間調画像データを２値化して得るために用いられる画像データ２値化装置に関する。
【０００２】
【従来の技術】
記録ヘッドと記録媒体（記録用紙等）とを相対移動させることにより記録を行う記録装置では、記録品質を左右する重要な要素として、記録媒体の副走査方向への搬送精度と、記録ヘッドの記録位置精度とが挙げられる。この搬送精度および記録位置精度を、一般的な記録装置では、記録分解能の整数倍の間隔で複数個の記録素子を副走査方向へ配列し、記録素子の間隔Ｐと記録素子の個数ｑ（現実に存在する個数ではなく、使用している個数）とが互いに素の関係になった記録ヘッドを用い、常に一定のピッチで記録媒体を副走査方向に送りつつ、隣接するラインが異なる記録素子により記録されるように動作する、いわゆるインターレース駆動方式により、高精度に達成している。
【０００３】
このようなインターレース駆動方式の記録装置によれば、記録素子の配置間隔のばらつきが記録品質に顕著に現れることがなく、かつ、記録媒体の送り量が常に一定であるため搬送精度のばらつきの問題も小さく、高い記録品質が得られる。
【０００４】
【発明が解決しようとする課題】
しかしながら、このようなインターレース駆動方式の記録装置の内、特にカラーインクジェットプリンタ等のインクを塗布して画像を記録するタイプのプリンタを用いた場合に、一般的なドット分散型ディザマトリックスを用いて２値化して得られた擬似中間調画像データを印刷すると次のような問題が生じることがあった。
【０００５】
例えば、記録素子数＝６３（実際には、記録素子数＝６４の内の６３個を用いたもの）、記録素子の間隔Ｐ＝２、中間調画像の階調レベルが１〜６４、ドット分散型ディザマトリックスとして図９（ａ）に記載のものを使用した場合にて説明する。このディザマトリックスは、図９（ｂ）に示す閾値の基本配置パターンを繰り返し配置して形成したものである。
【０００６】
ここで、多値の中間調画像として、全画素が、Ｃ（シアン）＝１６、Ｍ（マゼンタ）＝０、Ｙ（イエロー）＝３２である画像を２値化処理した場合、Ｃがオンの位置（Ｃのインクが噴射される位置）は、図１０に示すごとく、ディザマトリックスの行の内、奇数行Ｏｄのみである。
【０００７】
また、Ｙがオンの位置（Ｙのインクが噴射される位置）は、図１１に示すごとく、Ｃがオンとなる位置と同じ位置と、更に偶数行Ｅｖにも配置されている。
このように２値化された擬似中間調画像をインターレース駆動方式にて印刷すると、まず、各色それぞれ６３個の記録素子を用いて、図１２に示すごとく、最初の第１主走査では、奇数行Ｏｄのみが印刷される。奇数行Ｏｄは、図１０および図１１から判るように、ＣとＹとが記録されるので、ＣとＹとのインクが同じ割合で噴射される。
【０００８】
次に記録ヘッドを副走査方向に３２記録素子分の相対移動（副走査）させて、第２主走査の印刷が行われるが、第２主走査は偶数行Ｅｖのみが印刷される。偶数行Ｅｖは、図１０および図１１から判るようにＹのみがオンであるので、Ｙのみが記録される。
【０００９】
次に、記録ヘッドを副走査方向に３２記録素子分の相対移動をさせて、第３主走査の印刷が行われる。第３主走査は、奇数行Ｏｄのみの印刷であるので、第１主走査と同じくＣとＹとのインクが噴射される。
次の第４主走査では、第２主走査と同じくＹのみの噴射がなされる。
【００１０】
このようにして、記録素子の間隔の２倍の解像度で、Ｃ（シアン）＝１６、Ｍ（マゼンタ）＝０、Ｙ（イエロー）＝３２の同一配色の画像が記録される。
ところが、インターレース駆動方式であるために、図１２に示すごとく、第１主走査と第２主走査との印刷の重複領域Ｒ１は、先にＣＹが噴射され、後でＹが噴射されている。第２主走査と第３主走査との重複領域Ｒ２では、先にＹが噴射され、後でＣＹが噴射されている。第３主走査と第４主走査との重複領域Ｒ３においては、重複領域Ｒ１と同じく先にＣＹが噴射され、後でＹが噴射されている。
【００１１】
重複領域Ｒ１〜Ｒ３は、同じ配色を示す領域であるので、同じ量のＣとＹとのインクが噴射されるが、上述のごとく隣接する重複領域Ｒ１〜Ｒ３では噴射の順番が異なる。偶数行Ｅｖに塗布されたインクと奇数行Ｏｄに塗布されたインクとは、全く独立しているのではなく、互いの行の隣接部分では、重複部分が存在する。この部分で噴射の順番の違いにより、インクの重なりの順番が逆になると、にじみの程度等のインク間の微妙な性質の違いが、色彩上の微妙な差異を生じた。このため、中間調画像として同一配色領域であるにもかかわらず、重複領域Ｒ１，Ｒ２，Ｒ３が縞模様として見えてしまうと言う問題が存在した。
【００１２】
本発明は、このようなインターレース駆動方式の記録において、同一配色領域であるにもかかわらず、縞模様が生じてしまう現象を防止することを目的とするものである。
【００１３】
【課題を解決するための手段及び発明の効果】
ここには、１つまたはそれ以上の発明が記載され、以下に述べるような構成および特徴を有する。
本発明の画像データ２値化装置は、多値で表されたカラー中間調画像データを記憶する画像データ記憶手段と、ディザマトリックスを記憶するディザマトリックス記憶手段と、前記画像データ記憶手段に記憶されたカラー中間調画像データを、前記ディザマトリックス記憶手段に記憶されているディザマトリックスを用いて２値化して、カラー擬似中間調画像データとする２値化手段と、を備え、ノズル間隔がＰ（Ｐは２以上の整数）ライン相当の記録ヘッドを有するインターレース駆動方式のカラーインク塗布型プリンタに用いられるものである。
【００１４】
前述した従来例では、記録ヘッドのノズル間隔Ｐ＝２であり、カラー中間調画像データの同一配色領域において、主走査にて一度に記録されるカラー擬似中間調画像データが、主走査方向に同じ色が連続して塗布されている。すなわち記録ヘッドの主走査にて記録されるカラー擬似中間調画像データが、５０％でＣＹを印刷する領域、あるいは５０％でＹを印刷する領域であり、主走査方向に同じ配色が連続している。このため、前述したような同一配色領域であるにもかかわらず生じる微妙な差異が全主走査方向に連続して存在するので、縞模様が発生した。
【００１５】
しかし、本発明の画像データ２値化装置におけるディザマトリックスは、カラー中間調画像データの同一配色領域においても、主走査にて一度に記録されるカラー擬似中間調画像データが、主走査方向に同じ配色が連続して記録されない状態に２値化されるように形成されている。したがって、同一配色領域において重なり順序の違いにより微妙な色の違いが生じたとしても、主走査方向における配色の連続性が乱されることにより、見た目に微妙な色の違いが紛らされて、縞模様が目立たなくなる。このため、実質的に縞模様の発生が防止できる。
【００１６】
例えば、ディザマトリックスが、ドット分散法により形成されている場合、このディザマトリックスの主走査方向におけるいずれか半分のマトリックスが、記録ヘッドのノズル間隔Ｐとは互いに素である整数ｎ行分、副走査方向または反副走査方向にずらされていることにより、カラー中間調画像データの同一配色領域において、主走査にて一度に記録されるカラー擬似中間調画像データが、主走査方向に同じ配色が連続して記録されない状態に２値化されるように形成される。ずらす行数が、記録ヘッドのノズル間隔Ｐとは互いに素である整数ｎであるので、同一主走査において、１マトリックス毎に、その主走査方向の前半部分と後半部分とで同一の色が配置されることがなくなり、同一配色が細かく乱されることから、実質的に縞模様の発生が防止できる。
【００１７】
また、ディザマトリックスが、ドット分散法により形成されている場合、このドット分散法に用いられる４つの閾値からなる基本配置パターンにおける主走査方向のいずれか半分の２つの閾値の配置が、Ｐとは互いに素である整数ｎ行分、副走査方向または反副走査方向にずらされていることによっても、同様に、カラー中間調画像データの同一配色領域において、主走査にて一度に記録されるカラー擬似中間調画像データが、主走査方向に同じ配色が連続して記録されない状態に２値化されるように形成される。すなわち、前記４つの閾値の組みは、大から小あるいは小から大へと連続する閾値であり、この閾値の半分が主走査方向でＰとは互いに素である整数ｎ行分ずらされていると、単なるドット分散法で作成された閾値の配置状態が乱されることにより、主走査にて一度に記録されるカラー擬似中間調画像データが、主走査方向に同じ配色が連続して記録されることが阻止され、実質的に縞模様の発生が防止できる。
【００１８】
また、前記ディザマトリックスがドット分散法により形成されているとともに、ディザマトリックスの副走査方向のサイズをｍ（ｍは２以上の整数）とし、前記ドット分散法に用いられる閾値（例えば４つの閾値）からなる基本配置パターンにおける副走査方向移動行数をｋ（ｋは、１≦ｋ≦ｍ−１を満足する整数）とすると、ｋとｍ／Ｐとは互いに素であるディザマトリックスも、単なるドット分散法で作成された閾値の配置が乱されることにより、主走査にて一度に記録されるカラー擬似中間調画像データが、主走査方向に同じ配色が連続して記録されることが阻止され、実質的に縞模様の発生が防止できる。なお、基本配置パターンは４つの閾値にて構成されるものに限定するものではなく、２のｎ（ｎ≧０）乗個であれば良い。
【００１９】
この他に、ディザマトリックス内に、閾値を大から小あるいは小から大へ順次配置するに当り、最初は奇数行また偶数行の連続出現数が４以下、それ以後は、奇数行また偶数行の連続出現数が８以下であるディザマトリックスであっても、単なるドット分散法で作成された閾値の配置が乱されることにより、主走査にて一度に記録されるカラー擬似中間調画像データが、主走査方向に同じ配色が連続して記録されることが阻止され、実質的に縞模様の発生が防止できる。
【００２０】
また、Ｐ＝２である場合には、ディザマトリックス内に、閾値を大から小あるいは小から大へ順次配置するに当り、奇数行と偶数行とが交互に現れるように配置するディザマトリックスとしても、単なるドット分散法で作成された閾値の配置が乱されることにより、主走査にて一度に記録されるカラー擬似中間調画像データが、主走査方向に同じ配色が連続して記録されることが阻止され、実質的に縞模様の発生が防止できる。
【００２１】
また、次のように、縞模様の発生防止のメカニズムが上述したものとは異なるディザマトリックスを採用しても良い。すなわち、本発明の画像データ２値化装置におけるディザマトリックスは、記録ヘッドのノズル間隔がＰ（Ｐは２以上の整数）ライン相当であるインターレース駆動方式のカラーインク塗布型プリンタでの記録に用いられるカラー擬似中間調画像データを、ディザ法にて多値で表されたカラー中間調画像データから２値化して得るために用いられるディザマトリックスであって、
同一配色領域において、Ｐ走査毎に前記記録ヘッドの主走査にて記録されるカラー擬似中間調画像データを１組とするＰ組のカラー擬似中間調画像データが、相互に類似の配色に２値化されるように形成されたことを特徴とする。
【００２２】
異なる配色の重ね順序の差異が縞模様を生ずることから、重ねられる配色が相互に類似のものとされれば前述した縞模様発生のメカニズム自体が生じないので、縞模様の発生を防止することができる。
例えば、ディザマトリックスの副走査方向のサイズをｍ（ｍは２以上の整数）とすると、ｍとＰとは互いに素であるディザマトリックスとすれば、各主走査において記録されるカラー擬似中間調画像データが、重ねられるＰ組が互いに類似となる。したがって、重なり順序がいかなる順序であろうと、類似の配色であるため色の違いは生ずることがなく、縞模様自体が発生しなくなる。
【００２３】
このため、上述した各種のディザマトリックスを用いて、多値で表されたカラー中間調画像データを２値化してカラー擬似中間調画像データとし、該カラー擬似中間調画像データを、記録ヘッドのノズル間隔がＰ（Ｐは２以上の整数）ライン相当であるインターレース駆動方式のカラーインク塗布型プリンタにて記録すれば、実際には存在しない縞模様を発生させずに、インターレース駆動方式のカラーインク塗布型プリンタにて擬似中間調画像が記録できる。
【００２４】
また、次のように、次のようなディザマトリックスを採用しても良い。すなわち、本発明の画像データ２値化装置におけるディザマトリックスは、該ディザマトリックスを構成する閾値が大から小あるいは小から大へ順次配置されるにあたり、Ｐとは互いに素である整数ｎ行分、副走査方向または反副走査方向に離れた状態となるように順次配置されることを特徴とする。
【００２５】
【００２６】
【発明の実施の形態】
［実施の形態１］
図１は、実施の形態１としてのディザマトリックス２の構成を示している。このディザマトリックス２は、ドット分散法により作成された８×８の閾値マトリックスからなり、記録ヘッドのノズル間隔がＰ（ここではＰ＝２）ライン相当であるインターレース駆動方式のカラーインクジェット型プリンタでの記録に用いられるカラー擬似中間調画像データを、多値で表されたカラー中間調画像データから２値化して得るために用いられる。なお、このディザマトリックス２にて処理される中間調画像は１〜６４の６４階調である。
【００２７】
本ディザマトリックス２は、図９（ａ）に示したドット分散法により形成されている従来のディザマトリックスの主走査方向における半分のマトリックス２ｂが、Ｐとは互いに素である整数ｎ（ここではｎ＝１）行分、副走査方向にずらされている。なお、逆に、Ｐとは互いに素である整数ｎ（ｎ＝７）行分、反副走査方向にずらされていると捉えることもできる。
【００２８】
このように構成されたディザマトリックス２を用いて、ディザ法にて、多値の中間調画像データを２値化すると、図２のごとくに２値化される。図２の例は、従来技術の説明で用いた中間調画像データと同じデータを用いたものであり、全画素が、Ｃ（シアン）＝１６、Ｍ（マゼンタ）＝０、Ｙ（イエロー）＝３２である同一配色の中間調画像を２値化したものを示している。
【００２９】
図２（ａ）は、Ｃについての２値化データを表す図１０に対応するもので、Ｃがオンの位置は、図２（ａ）に示すごとく、ディザマトリックス２の行の内、左半分では奇数行Ｏｄに存在しているが、右半分では偶数行Ｅｖに存在している。  図２（b）は、Ｙについての２値化データを表す図１１に対応するもので、Ｙがオンの位置は、図２（ｂ）に示すごとく、ディザマトリックス２の行の内、Ｃがオンとなる位置と同じ位置と、偶数行Ｅｖにも配置されている。
【００３０】
このように２値化されて得られた擬似中間調画像データを、インターレース駆動方式にて印刷する場合、図３に示すごとく、第１主走査では、ディザマトリックス２の奇数行Ｏｄにて２値化された画素が印刷されるが、ディザマトリックス２の左半分のマトリックス２ａに該当する部分はＣとＹとが記録されるので、ＣとＹとのインクが同じ割合で噴射される。しかし、ディザマトリックス２の右半分のマトリックス２ｂに該当する部分はＹのみが記録されるので、Ｙのインクのみが噴射される。すなわち、一つの主走査内で、ＣＹが噴射される部分と、Ｙのみが噴射される部分とが交互に配置される。
【００３１】
第２主走査では、ディザマトリックス２の偶数行Ｅｖにて２値化された画素が印刷されるが、ディザマトリックス２の左半分のマトリックス２ａに該当する部分はＹのみが記録されるので、Ｙのインクのみが噴射される。しかし、ディザマトリックス２の右半分のマトリックス２ｂに該当する部分はＣとＹとが記録されるので、ＣとＹとのインクが同じ割合で噴射される。すなわち、一つの主走査内で、Ｙのみが噴射される部分と、ＣＹが噴射される部分とが交互に配置される。
【００３２】
以後、奇数番目の主走査は第１主走査と同じ噴射であり、偶数番目の主走査は第２主走査と同じ噴射である。
このようにして、記録素子の間隔の２倍の解像度で、Ｃ（シアン）＝１６、Ｍ（マゼンタ）＝０、Ｙ（イエロー）＝３２の画像が記録される。
【００３３】
そして、インターレース駆動方式であるために、図３に示すごとく、第１主走査と第２主走査との印刷の重複領域Ｓ１は、先にＣＹが噴射され、後でＹが噴射される重複状態と、先にＹが噴射され、後でＣＹが噴射される重複状態とが繰り返されている。また、第２主走査と第３主走査との重複領域Ｓ２では、先にＹが噴射され、後でＣＹが噴射される重複状態と、先にＣＹが噴射され、後でＹが噴射される重複状態とが繰り返されている。以降の重複状態も上述の状態が交互に出現する。
【００３４】
したがって、従来技術のごとく、第１主走査で第２主走査との重複領域Ｒ１では、すべて、先にＣＹが噴射され、後でＹが噴射され、第２主走査と第３主走査との重複領域Ｒ２では、すべて、先にＹが噴射され、後でＣＹが噴射されている重複状態とは異なり、各重複領域Ｓ１，Ｓ２，Ｓ３，…においても、それぞれ主走査方向に重複状態が変化している。このため、重複順序の違いによる発色の違いがまぎらわされて目立たなくなり、実質的に縞模様の発生が防止できる。
【００３５】
［実施の形態２］
図４は、実施の形態２としてのディザマトリックス１０の構成を示している。このディザマトリックス１０は、ドット分散法により作成された１６×１６の閾値マトリックスからなり、記録ヘッドのノズル間隔がＰ（ここではＰ＝２）ライン相当であるインターレース駆動方式のカラーインク塗布型プリンタでの記録に用いられるカラー擬似中間調画像データを、多値で表されたカラー中間調画像データから２値化して得るために用いられる。なお、このディザマトリックス１０にて処理される中間調画像は１〜２５６の２５６階調である。
【００３６】
本ディザマトリックス１０は、ドット分散法に特色が存在する。すなわち、通常のドット分散法では、図９（ｂ）に示したごとく、基準位置（ここでは「１」の位置）から各辺が主走査方向および副走査方向のいずれかに平行な正方形の頂点に順次増加する閾値（ここでは「２」、「３」、「４」）を、作成しようとするディザマトリックスの縦または横サイズの半分の距離はなして配置したパターンを基本配置パターンとして、この閾値の組の値を、５〜８，９〜１２，……と、順次増加させながら繰り返し配置することにより、ディザマトリックスを作成していた。
【００３７】
本ディザマトリックス１０における基本配置パターンは、図５（ｂ）に示すごとくである。すなわち、図５（ａ）に示した通常の基本配置パターンの内、主走査方向のいずれか半分、図５（ｂ）の場合は右半分の閾値「２」、「４」が、Ｐとは互いに素である整数ｎ（ここでは「１」）行分、副走査方向にずらされている。
【００３８】
このようにずらされた基本配置パターンを、その閾値を順次増加させながら配置することにより、本ディザマトリックス１０は形成されている。
このように構成されたディザマトリックス１０を用いて、ディザ法にて、多値の中間調画像データを２値化すると、図６，７のごとくに２値化される。図６，７の例は、全画素が、Ｃ（シアン）＝６４、Ｍ（マゼンタ）＝０、Ｙ（イエロー）＝１２８である同一配色の中間調画像を２値化したものを示している。
【００３９】
図６は、Ｃについての２値化データを表す図１０に対応するもので、Ｃがオンの位置は、図６に示すごとく、ディザマトリックス１０の内、奇数行Ｏｄおよび偶数行Ｅｖに均等に分布している。
図７は、Ｙについての２値化データを表す図１１に対応するもので、Ｙがオンの位置は、図７に示すごとく、ディザマトリックス１０の内、Ｃがオンとなる位置と同じ位置に加えて、更に奇数行Ｏｄにも偶数行Ｅｖにも均等に分布している。
【００４０】
このように閾値の配置が単なるドット分散法で作成された閾値の配置状態から乱されているので、インターレース駆動方式にて印刷する場合、主走査にて一度に記録されるカラー擬似中間調画像データが、主走査方向に同じ配色が連続して記録されることが阻止されることから、各主走査の重複の順番にかかわらず、すべての重複領域において同じ色調を呈し、縞模様が生じることはない。
【００４１】
このことは、別の見方をすると、主走査方向に同じ配色が連続して記録されることが細かく乱されて、結果として、全主走査がほぼ同一の配色となるので、縞模様が発生するメカニズムが生じにくくなり、重なり順序がいかなる順序でも問題がなくなったものとも言える。
【００４２】
なお、基本配置パターンは、図５（ｂ）を使用したが、右半分を反副走査方向にずらした図５（ｃ）を基本配置パターンとしても、同様な効果を得られる。
［実施の形態３］
実施の形態３のディザマトリックスは、次の条件を満足するようにドット分散法により形成されたものである。すなわち、ディザマトリックスの副走査方向のサイズをｍ（ｍは２以上の整数）とし、ドット分散法に用いられる４つの閾値からなる基本配置パターンにおける副走査方向移動行数をｋ（ｋは、１≦ｋ≦ｍ−１を満足する整数）とすると、ｋとｍ／Ｐとは互いに素とされている。副走査方向移動行数ｋとは、前述した図５（ａ）に示した基本配置パターンにおける副走査方向の辺の長さに該当する。
【００４３】
具体的に、Ｐ＝２、ｍ＝８として説明すると、ｍ／Ｐ＝４であり、この値「４」と互いに素である１≦ｋ≦ｍ−１を満足する整数は、１，３，５，７であり、このいずれか１つまたは複数をｋとして設定する。すなわち、同一のｋの値では、基本配置パターンを配置できない場合は、基本配置パターンの辺の長さを変えて配置する。
【００４４】
このことにより、Ｐ＝２の場合、図９（ａ）に示したごとくに、小さい方から全閾値の１／４の閾値「１〜１６」がすべて奇数行Ｏｄに配置されることが防止される。例えば、閾値は小さい方から、奇数行Ｏｄ、偶数行Ｅｖ、偶数行Ｅｖ、奇数行Ｏｄ、奇数行Ｏｄ、偶数行Ｅｖ、偶数行Ｅｖ、奇数行Ｏｄ、……といった出現となり、全主走査がほぼ同一の配色となるので、縞模様が発生するメカニズムが生じにくくなる。したがって、主走査の重なり順序がいかなる順序でも縞模様の発生が防止できる。
【００４５】
［実施の形態４］
実施の形態４のディザマトリックスは、次の条件を満足するようにドット分散法により形成されたものである。すなわち、ディザマトリックスの副走査方向のサイズをｍ（ｍは２以上の整数）とすると、ｍとＰとは互いに素とされている。
【００４６】
具体的に、Ｐ＝３として説明すると、Ｐと互いに素であるｍは、２，４，５，７，８，１０，１１，１３，１４，１６，１７，１９，２０，…が挙げられる。  例えば、ｍ＝８の場合は、図８に示すごとく、［３の倍数］行、［３の倍数＋１］行、および［３の倍数＋２］行が、それぞれ各主走査毎に印刷されるが、一度の主走査で印刷される擬似中間調画像データは、副走査方向に複数のディザマトリックスにて処理されて得られるが、これら複数の各ディザマトリックス内においては、一つの主走査において常に各マトリックスの［３の倍数］行、［３の倍数＋１］行、および［３の倍数＋２］行の内のいずれか一つに一致しているのではなく、Ｐとｍとが互いに素であることから、一度の主走査にて記録される行は、ディザマトリックスによって、［３の倍数］行に一致する場合もあれば、［３の倍数＋１］行、あるいは［３の倍数＋２］行に一致する場合もあり、一定ではない。
【００４７】
これを、ディザマトリックス側から見ると、ディザマトリックスの特定行にて２値化された画素が、［３の倍数］番目の主走査で印刷されたり、［３の倍数＋１］あるいは［３の倍数＋２］番目の主走査で印刷されたりする。
このため、主走査にて一度に記録されるカラー擬似中間調画像データが、主走査方向に同じ配色が連続して記録されることが阻止され、各主走査において、ほぼ均等の配色状態となる。したがって、各主走査の重複の順番にかかわらず、すべての重複領域において同じ色調を呈し、縞模様が生じることはない。
【００４８】
［その他］
実施の形態１では、図１における右半分のマトリックス２ｂがずらされたが、左半分のマトリックス２ａがずらされても良い。
なお、Ｐ＝２の場合、閾値を大から小あるいは小から大へとディザマトリックス上の位置を決定して配置することによりディザマトリックスを作成するに際して、ディザマトリックスの主走査方向位置はランダムに決定し、副走査方向位置は、奇数行と偶数行とに交互に閾値が小から大または大から小へと配置されるように決定しても良い。このことにより、主走査にて一度に記録されるカラー擬似中間調画像データが、主走査方向に同じ配色が連続して記録されることが阻止され、各主走査において、ほぼ均等の配色状態となっているので、各主走査の重複の順番にかかわらず、すべての重複領域において同じ色調を呈し、縞模様が生じることはない。
【００４９】
また、実質的に、縞模様を生じさせないためには、奇数行・偶数行に対する閾値の配置は、閾値を大から小あるいは小から大へ順次配置するに当り、最初は奇数行また偶数行の連続出現数が４以下、それ以後は、奇数行また偶数行の連続出現数が８以下であるディザマトリックスであることが好ましい。
【図面の簡単な説明】
【図１】本発明の実施の形態１としてのディザマトリックスの構成説明図である。
【図２】実施の形態１における２値化にてオンとされた色毎の配置説明図である。
【図３】各主走査の重複状態の説明図である。
【図４】実施の形態２としてのディザマトリックスの構成説明図である。
【図５】実施の形態２にて用いられる閾値の基本配置パターンの構成説明図である。
【図６】実施の形態２における２値化にてオンとされた配置説明図である。
【図７】実施の形態２における２値化にてオンとされた配置説明図である。
【図８】実施の形態４における閾値の配置状態説明図である。
【図９】従来のディザマトリックスおよび基本配置パターンの説明図である。
【図１０】従来のディザマトリックスによる２値化状態の説明図である。
【図１１】従来のディザマトリックスによる２値化状態の説明図である。
【図１２】従来の各主走査の重複状態の説明図である。
【符号の説明】
２…ディザマトリックス      ２ａ…左半分のマトリックス
２ｂ…右半分のマトリックス    １０…ディザマトリックス
Ｅｖ…偶数行    Ｏｄ…奇数行    Ｓ１，Ｓ２，Ｓ３…重複領域
【図１】
0003598674.tif 000002
【図２】
0003598674.tif 000003
【図３】
0003598674.tif 000004
【図４】
0003598674.tif 000005
【図５】
0003598674.tif 000006
【図６】
0003598674.tif 000007
【図７】
0003598674.tif 000008
【図８】
0003598674.tif 000009
【図９】
0003598674.tif 000010
【図１０】
0003598674.tif 000011
【図１１】
0003598674.tif 000012
【図１２】
0003598674.tif 000013